(57)【要約】【課題】  大きさ、広さ、形状の異なる複数種類のポケットを車両に設ける。【解決手段】  底部及び左右が枠（４）により固定された弾力性を有する第１ネット（３）により前面が形成され、車体（１）により背面が形成される車両用ネット製ポケットである。前記第１ネット（３）よりも車体側に、左右が前記枠（４）により固定された第２ネット（５）が設けられている。この第２ネット（５）に沿ってスライド部材（６）が移動可能である。このスライド部材に第１固定手段（６２）が設けられている。前記車体のくぼみには第２固定手段（６３）が設けられている。前記第１固定手段と前記第２固定手段は係合可能である。【選択図】図１
2008037151.tif 000002
【特許請求の範囲】
【請求項１】
底部及び左右が枠（４）により固定された弾力性を有する第１ネット（３）により前面が形成され、車体（１，１Ａ，１Ｂ，１Ｃ，１Ｄ）により背面が形成される車両用ネット製ポケット（２）において、
前記第１ネット（３）よりも車体側に設けられ、左右が前記枠（４）により固定された第２ネット（５）と、
前記第２ネット（５）に沿って移動可能なスライド部材（６）と、
前記スライド部材（６）に設けられた第１固定手段（６２，６２Ａ，６２Ｂ，６２Ｃ，６２Ｄ）と、
前記ポケット背面の車体（１，１Ａ，１Ｂ，１Ｃ，１Ｄ）側に設けられた第２固定手段（６３，６３Ａ，６３Ｂ，６３Ｃ，６３Ｄ）とからなり、
前記第１固定手段と前記第２固定手段が係合可能であることを特徴とする車両用ネット製ポケット。
【請求項２】
前記第２固定手段（６３，６３Ａ，６３Ｂ，６３Ｃ，６３Ｄ）が複数個設けられており、前記第１固定手段（６２，６２Ａ，６２Ｂ，６２Ｃ，６２Ｄ）と前記第２固定手段（６３，６３Ａ，６３Ｂ，６３Ｃ，６３Ｄ）が選択的に係合可能である請求項１記載の車両用ネット製ポケット。
【請求項３】
前記第１固定手段（６２）及び前記第２固定手段（６３）は雌雄のボタンである請求項１又は２記載の車両用ネット製ポケット。
【請求項４】
前記第１固定手段は、中空箱から突出する１本の足（６２１）と、この足の先端で上下に延びる延長部（６２２）からなる係合突起（６２Ａ）であり、前記第２固定手段は横長の長孔（６３Ａ）である請求項１又は２記載の車両用ネット製ポケット。
【請求項５】
前記第１固定手段（６２Ｂ）及び前記第２固定手段（６３Ｂ）の少なくとも一方は磁石であり、他方は磁石又は磁石付着物質である請求項１又は２記載の車両用ネット製ポケット。
【請求項６】
前記第１固定手段は、中空箱（６１Ｃ）から突出する爪からなる係合突起（６２Ｃ）であり、前記第２固定手段はポケット方向に複数箇所突出させた爪の収容部（６３Ｃ）である請求項１又は２記載の車両用ネット製ポケット。
【請求項７】
前記第１固定手段は、中空箱から突出する１本の足（６２１Ｄ）と、この足の先端で上下に延びる延長部（６２２Ｄ）からなる係合突起（６２Ｄ）であり、前記第２固定手段は横に細長い長孔（６３Ｄ）であって、上下壁に多数の窪み（６３４）を有するものである請求項１又は２記載の車両用ネット製ポケット。
【請求項８】
前記第１固定手段及び前記第２固定手段は面ファスナである請求項１又は２記載の車両用ネット製ポケット。
【請求項９】
前記第２ネット（５）は、前記第１ネット（３）よりも細幅であり、前記スライド部材（６）は、前記第２ネット（５）を中に通している中空箱である請求項１ないし８のいずれかに記載の車両用ネット製ポケット。
【発明の詳細な説明】
【技術分野】
【０００１】
本発明は、自動車等の車内に固定されたネット製ポケットに関する。
【背景技術】
【０００２】
自動車の車内には、小物を収容するためのポケットが常設されている。例えば、ドアトリムの表面下側に設置されるネット製のドアポケットや自動車の座席の凭れ部の背部に設けられるものがよく知られている。
【０００３】
下記特許文献１は、自動車の座席の凭れ部の背部に取り付けられる車両用ネット製ポケットの一例である。
【特許文献１】実用新案登録第３０５８７９９号
【発明の開示】
【発明が解決しようとする課題】
【０００４】
ポケットに収容する小物は、雑誌、新聞、地図、びんや缶入りの飲み物、菓子袋等、厚みや高さの異なるものが多い。従来技術のように収容個所が１種類しかないポケットでは、その中で収納物が散乱したり、転倒しやすい。それを避けるために、各収納物に合った個別ポケットを設定しようとすると、収納物は厚みや高さが異なるため、大きさを変えたものが数カ所必要になるだけでなく、各ポケットが各収納物の専用品となって、他のものには転用しづらくなる。
【０００５】
そこで、本発明は、大きさ、広さ、形状の異なる複数種類のポケットを車両に設けることを目的とする。
【課題を解決するための手段】
【０００６】
本発明は、底部及び左右が枠により固定された弾力性を有する第１ネットにより前面が形成され、車体により背面が形成される車両用ネット製ポケットにおいて、前記第１ネットよりも車体側に設けられ、左右が前記枠により固定された第２ネットと、前記第２ネットに沿って移動可能なスライド部材と、前記スライド部材に設けられた第１固定手段と、前記ポケット背面の車体側に設けられた第２固定手段とからなり、前記第１固定手段と前記第２固定手段が係合可能であることを特徴とする。
【発明の効果】
【０００７】
本発明では、スライド部材に設けられた第１固定手段と、車体に設けられた複数の第２固定手段とが係合可能である。係合状態では、第２ネットは左右枠と車体に固定されて、山形を形成する。ポケットは、車体と第２ネットの間に２個（「第１，第２ポケット」）、第１ネットと第２ネットの間に１個（「第３ポケット」）形成される。第３ポケットは比較的に大きく、第１，２ポケットは比較的に小さい。
【発明を実施するための最良の形態】
【０００８】
好ましくは、前記第２固定手段が複数個設けられており、前記第１固定手段と前記第２固定手段を選択的に係合可能とする。そうすることにより、第１，２ポケットは、係合突起を車体の選択可能位置のどれと係合させるかによって大きさと形状を変えることができる。
【０００９】
スライド部材に設けられた第１固定手段と、車体に設けられた第２固定手段は様々に変形可能である。例えば、次のような固定手段を使用することができる。
（１）スライド部材の第１固定手段及び車体側の第２固定手段は雌雄のボタンである（後記実施例１参照）。
（２）スライド部材の第１固定手段は、中空箱から突出する１本の足と、この足の先端で上下に延びる延長部からなる係合突起である。車体側の第２固定手段は横長の長孔である（後記実施例２参照）。
（３）スライド部材の第１固定手段及び車体側の第２固定手段の少なくとも一方は磁石であり、他方は磁石又は磁石付着物質である（後記実施例３参照）。
（４）スライド部材の第１固定手段は、中空箱から突出する爪からなる係合突起である。車体側の第２固定手段はポケット方向に複数箇所突出させた爪の収容部である（後記実施例４参照）。
（５）スライド部材の第１固定手段は、中空箱から突出する１本の足と、この足の先端で上下に延びる延長部からなる係合突起である。車体側の第２固定手段は細長い横長の長孔であり、上下に多数のくぼみを有するものである（後記実施例５参照）。
（６）スライド部材の第１固定手段及び車体側の第２固定手段は面ファスナである（後記実施例６参照）。
【００１０】
第１，第２ネットは、収容物を弾力的に保持するため、弾力性を有することが必要である。第２ネットは、第１ネットよりも細幅であり、編み密度の高いものであることが強度上好ましい。「第２ネット」には、厳密には「ネット」とは言い難いが、編み目や織り目が見えないゴム紐のような弾力布帛も含まれる。前記スライド部材は、例えば、この第２ネットを中に通している中空箱のようなものを採用することができる。
【実施例１】
【００１１】
以下、添付の図面に基づき、本発明の実施例を説明する。
【００１２】
図１は、第１実施例の正面図であり、自動車のドアトリム１に設けたポケット２である。この図面から分かるように、ポケット２となるドアトリム１のくぼみの前方に弾力性のある第１ネット３が張られている。第１ネット３の底部及び左右側部は枠４に固定されている。固定方法はどのようなものでもよいが、例えば、枠に予め複数の突起（図示せず）を一体成形しておき、この突起に第１ネット３の編み目を通すことができる。第１ネット３の上方は、収容物の出入のために開放されている。
【００１３】
第１ネット３の内側に、比較的細幅の、弾力性のある第２ネット５が左右の枠４に固定されている。第２ネット５を枠４に固定する方法は、第１ネット３を枠４に固定するのと同様である。図２は第１ネット３を取り外して、第２ネット５のみを示している。第２ネットは、第１ネット３よりも編み密度の高いものを使用している。
【００１４】
この第２ネット５にはスライド部材６が取り付けられている。スライド部材６は、図３に示すように、左右側面が開放された中空箱６１であり、第２ネット５を中に通している。このスライド部材６は、指で押せば第２ネット５に沿って左右の枠４の間を移動可能である。
【００１５】
このスライド部材６には車体側にボタンの雌部材６２が設けられている。ポケット２を形成するくぼみの壁となる車体側では、この係合突起と係合するボタンの雄部材６３が複数箇所（この実施例では３カ所、図２参照）設けられている。
【００１６】
スライド部材の雌部材６２と車体側の雄部材６３は選択的に係合可能である。すなわち、３カ所の雄部材６３のうち適当なものを選択して係合させることができる。
【００１７】
この状態を正面から見ると、図２のようになり、第２ネット５は左右の枠４と車体の雄部材６３に固定されて、山形を形成する。ポケット２は、車体１と第２ネット５の間に２個（「第１，第２ポケット２１，２２」）、第１ネットと第２ネットの間に１個（「第３ポケット２３」）形成される。第３ポケット２３は比較的に大きく、第１，２ポケット２１，２２は比較的に小さい。しかも第１，２ポケット２１，２２は、雌部材６２を３カ所の雄部材６３のどれと係合させるかによって大きさと形状を変えられる。この３種類のポケットの中から適当なものを選んで、新聞、雑誌、飲み物の缶やボトルを収納することができる。
【実施例２】
【００１８】
図４は第２実施例を示す。第２実施例では、スライド部材６Ａとポケット背後の車体１Ａとを係合させる手段として、スライド部材の係合突起６２Ａと、車体側の横長の長孔６３Ａを使用する。この実施例の係合突起６２Ａは、Ｔ字型で、中空箱６１Ａから突出する１本の足６２１と、この足の先端で上下に延びる延長部６２２からなる。長孔６３Ａは車体から箱状に突出させた部分６３１に孔を開けて形成されている。そのほかの構成は第１実施例と同様である。
【００１９】
両者を係合させるには、スライド部材６Ａを指で移動させ、係合突起６２Ａを長孔６３Ａに挿入する。そして係合突起６２Ａを左右いずれかにひねると、係合突起６２Ａの先端が長孔６３Ａから抜けなくなり、係合は完成する。
【実施例３】
【００２０】
図５は第３実施例を示す。第３実施例では、スライド部材６Ｂとポケット背後の車体１Ｂとを係合させる手段として、磁石６２Ｂ，６３Ｂを使用する。そのほかの構成は第１実施例と同様である。
【００２１】
磁石は、一方に永久磁石、他方に磁石吸着物質の組み合わせとしてもよいし、両方とも永久磁石を使用してもよい。
【実施例４】
【００２２】
図６は第４実施例を示す。第４実施例では、スライド部材６Ｃとポケット背後の車体１Ｃとを係合させる手段として、爪６２Ｃと爪の収容部６３Ｃを使用する。そのほかの構成は第１実施例と同様である。
【００２３】
スライド部材６Ｃの中空箱６１Ｃの背後にはＬ字型の爪６２Ｃが設けられている。他方、ポケット背後の車体１Ｃには、ポケット方向に複数箇所突出させた爪の収容部６３Ｃを設けている。爪の収容部６３Ｃは車体１Ｃに直接設けてもよいし、爪の収容部を有する金属板６３２又は合成樹脂板を車体に貼り付けてもよい。
【実施例５】
【００２４】
図７は第５実施例を示す。第５実施例では、スライド部材６Ｄとポケット背後の車体１Ｄとを係合させる手段として、係合突起６２Ｄと変形させた長孔６３Ｄを使用する。そのほかの構成は第１実施例と同様である。
【００２５】
係合突起６２Ｄは第１実施例と同様である。長孔６３Ｄは、第１実施例よりも数倍長い横孔６３３を使用する。しかもこの細長い横孔６３３の上下には多数の凹部６３４を設けている。使用方法は、係合突起６２Ｄを横孔６３３に挿入して、その後、係合突起６２Ｄを左右いずれかにひねる点で第１実施例と同じである。固定位置では、係合突起６２Ｄはいずれかの凹部６３４に落ち着くことになる。
【００２６】
この実施例では、調節位置は第１実施例のように３カ所ではなく、もっときめ細かく設定することができる。
【実施例６】
【００２７】
図示しないが、スライド部材とポケット背後の車体とを係合させる手段として、面ファスナを使用する。そのほかの構成は第１実施例と同様である。
【図面の簡単な説明】
【００２８】
【図１】本発明のポケットを取り付けたドアトリムの正面図である。
【図２】図１から第１ネットを外した状態である。
【図３】第１実施例の第１，第２固定手段を示す斜視図である。
【図４】第２実施例の第１，第２固定手段を示す斜視図である。
【図５】第３実施例の第１，第２固定手段を示す斜視図である。
【図６】第４実施例の第１，第２固定手段を示す斜視図である。
【図７】第５実施例の第１，第２固定手段を示す斜視図である。
【符号の説明】
【００２９】
１     ドアトリム
１Ａ，１Ｂ，１Ｃ，１Ｄ      車体
２     ポケット
２１   第１ポケット
２２   第２ポケット
２３   第３ポケット
３     第１ネット
４     枠
５     第２ネット
６，６Ａ，６Ｂ，６Ｃ，６Ｄ  スライド部材
６１，６１Ａ，６１Ｂ，６１Ｃ，６１Ｄ      中空箱
６２   雌部材
６２１ 足
６２２ 延長部
６２Ａ 係合突起
６２Ｂ  磁石
６２Ｃ 爪
６２Ｄ 係合突起
６３  雄部材
６３１ 箱状部分
６３２ 金属板
６３３ 横孔
６３４ 凹部
６３Ａ 長孔
６３Ｂ  磁石
６３Ｃ 収容部
６３Ｄ 長孔
【図１】
2008037151.tif 000003
【図２】
2008037151.tif 000004
【図３】
2008037151.tif 000005
【図４】
2008037151.tif 000006
【図５】
2008037151.tif 000007
【図６】
2008037151.tif 000008
【図７】
2008037151.tif 000009